(57)【特許請求の範囲】
【請求項１】
次の１〜１１の構成を備えたことを特徴とする照明型片面看板。
１．細長の光源（２）が表側開口の方形のケース（１）内の底面側に間隔をあけて２本以上設けられ、
２．前記ケース（１）の表側開口部に透光性ある樹脂製板状の広告用の表示パネル（３）が設けられ、
３．前記広告用の表示パネル（３）には文字や図柄等の広告が表示され、
４．前記光源（２）からの光により広告用の表示パネル（３）を照明する照明型片面看板において、
５．ケース（１）内の底面側に設けた２本以上の光源（２）の夫々の下に反射体（４）が別々に設けられ、
６．夫々の反射体（４）は光源（２）の両外側まで形成された平面状の底面反射部（４ａ）と、その底面反射部（４ａ）の幅方向両端であって光源（２）の外側に形成された平面状の傾斜反射部（５ａ、５ｂ）と、傾斜反射部（５ａ、５ｂ）の端部から垂直に立ち上げて形成された垂直反射部（６、８）を備え、
７．夫々の反射体（４）の傾斜反射部（５ａ、５ｂ）はその底面反射部（４ａ）から表示パネル（３）側に向けて鈍角の傾斜角度で光源（２）の上方まで平面状に立ち上げてあり、
８．隣接する反射体（４）の隣接する側の垂直反射部（８）は傾斜反射部（５ｂ）から広告用の表示パネル（３）側に向けて表示パネル（３）側の途中まで直線状に垂直に立ち上げて表示パネル（３）との間に光源（２）からの光が通過する隙間（４８）を形成すると共に、前記垂直反射部（８）同士を背中合わせ状態に突き合せ、
９．隣接する反射体（４）のケース側の垂直反射部（６）は傾斜反射部（５ａ）の端部を表示パネル（３）側に垂直に平面状に立ち上げて形成され、
１０．ケース側垂直反射部（６）が隣接側の垂直反射部（８）よりも表示パネル（３）側まで突設され、
１１．前記底面反射部（４ａ）、傾斜反射部（５ａ、５ｂ）、垂直反射部（６、８）の光源側の反射面及びそれら反射部の角部に反射シート（３６）を張設して、光源（２）からの光がそれら反射シート（３６）により表示パネル（３）に向けて反射されるようにした。
【発明の詳細な説明】
【技術分野】
【０００１】
本発明はビルや駅の構内、プラットホーム、街頭等において各種の広告や案内を表示するのに使用される照明型片面看板に関するものである。
【背景技術】
【０００２】
広告や案内を表示する照明型看板には従来より各種のものがある。その一つとして本件発明者が先に開発した照明型看板がある。この照明型看板は図５に示す様に上方開口の箱形に形成されたケースＡ内に光源（蛍光管）Ｂを複数本取付け、隣接する蛍光管Ｂの中間下方に、同蛍光管Ｂからの光を表示パネルＣ側に反射させる傾斜面Ｄを備えた山形の反射体Ｅを設けると共に、ケースＡの内周面に沿って周面反射体Ｆを設けたものである。
【０００３】
前記図５に示す照明型看板は、図６に示す様に蛍光管Ｂから上方に出た光は直接表示パネルＣを照明し、上方以外の方向に出た光は反射体Ｅ及び周面反射体Ｆにより反射されて表示パネルＣを照明するため、表示パネルＣのうち夫々の蛍光管Ｂの中間部分も十分に照明され、表示パネルＣの明るさにムラができず、全体が明るく照明されるものである。
【発明の開示】
【発明が解決しようとする課題】
【０００４】
前記図５に示す照明型看板は十分に機能するものであり、特に課題はない。本件発明は、前記図５に示す照明型看板に改良を加えることによって、より一層表示パネルをムラなく、且つ明るく照明することが可能な照明型看板を提供しようとするものである。
【課題を解決するための手段】
【０００５】
本件出願の照明型片面看板は、次の１〜１１の構成を備えたことを特徴とするものである。
１．細長の光源２が表側開口の方形のケース１内の底面側に間隔をあけて２本以上設けられ、
２．前記ケース１の表側開口部に透光性ある樹脂製板状の広告用の表示パネル３が設けられ、
３．前記広告用の表示パネル３には文字や図柄等の広告が表示され、
４．前記光源２からの光により広告用の表示パネル３を照明する照明型片面看板において、
５．ケース１内の底面側に設けた２本以上の光源２の夫々の下に反射体４が別々に設けられ、
６．夫々の反射体４は光源２の両外側まで形成された平面状の底面反射部４ａと、その底面反射部４ａの幅方向両端であって光源２の外側に形成された平面状の傾斜反射部５ａ、５ｂと、傾斜反射部５ａ、５ｂの端部から垂直に立ち上げて形成された垂直反射部６、８を備え、
７．夫々の反射体４の傾斜反射部５ａ、５ｂはその底面反射部４ａから表示パネル３側に向けて鈍角の傾斜角度で光源２の上方まで平面状に立ち上げてあり、
８．隣接する反射体４の隣接する側の垂直反射部８は傾斜反射部５ｂから広告用の表示パネル３側に向けて表示パネル３側の途中まで直線状に垂直に立ち上げて表示パネル３との間に光源２からの光が通過する隙間４８を形成すると共に、前記垂直反射部８同士を背中合わせ状態に突き合せ、
９．隣接する反射体４のケース側の垂直反射部６は傾斜反射部５ａの端部を表示パネル３側に垂直に平面状に立ち上げて形成され、
１０．ケース側垂直反射部６が隣接側の垂直反射部８よりも表示パネル３側まで突設され、
１１．前記底面反射部４ａ、傾斜反射部５ａ、５ｂ、垂直反射部６、８の光源側の反射面及びそれら反射部の角部に反射シート３６を張設して、光源２からの光がそれら反射シート３６により表示パネル３に向けて反射されるようにした。
【０００６】
【０００７】
【発明の効果】
【０００８】
本件出願の照明型片面看板は次のような効果がある。
１．反射体は、底面反射部４ａと、光源側から表示パネル側まで直線状に外広がりとなる傾斜反射部５ａ、５ｂと、垂直反射部６と、垂直反射部８を備え、それらに反射シート３６が設けられているので、光源からの光が表示パネルに効率良く反射され、表示パネルの全体がムラなく且つ十分に明るく照明される。
２．隣接する光源間に垂直反射部８を備え、垂直反射部８と表示パネル３との間に光源２からの光が遮られないようにする隙間を設けたので、表示パネルのうち、隣接する光源の間の部分も隙間を通じて表示パネル３に照射され、ムラなく、且つ十分に明るく照明することができる。
３．発光管の外周面に光反射材を間隔をあけて設けたフィルムを巻き付けて光源としたので、光反射材付光源の製作が容易である。
【発明を実施するための最良の形態】
【０００９】
（実施形態１）
本発明の照明型片面看板の第１の実施形態を図１、図３に基づいて詳細に説明する。本発明の照明型看板は表面に広告が表示された透光性のある表示パネル３が配置固定されるケース１内に、間隔を開けて設けられた２本の細長の光源２と、同光源２からの光を表示パネル３側に反射させる反射体４を備えたものである。
【００１０】
前記ケース１は図１（ａ）、（ｂ）に示す様にアルミ又はアルミ合金又はステンレス等の板材を加工して横長で上方開口の箱状に形成したものである。ケース１の周縁に内側コ字形の嵌合凹部３０を形成して、前記表示パネル３の外周縁部３３を嵌合可能としてある。このケース１には各種サイズのものがある。
【００１１】
前記表示パネル３は乳白色の長方形アクリル板の表面に、広告用の文字や図柄等を表示してなるものである。この表示パネル３は図１（ａ）、（ｂ）に示す様に前記ケース１の上方から、その外周縁部３３を同ケース１の嵌合凹部３０に嵌め込む様にしてセットすると、ケース１の嵌合凹部３０の内側に隙間なく嵌合される形状及び大きさとしてある。表示パネル３はケース１の嵌合凹部３０に嵌合された外周縁部３３を図示されていない螺子によってケース１に固定することによって同ケース１に固定することができるようにしてある。
【００１２】
前記表示パネル３の板厚、乳白色の濃さ等は任意に選択することができる。但し、光源２からの光で表示パネル３の表面全体がムラなく照明されるようにするためには乳白色の濃さを濃くする方が望ましいが、その一方で濃くし過ぎると明るさが低下する。したがって、照明ムラがなく、且つ全体が十分な明るさで照明される濃さを選択することが望ましい。また、表示パネル３の表面に表される広告用の文字や図柄等は、同表示パネル３の表面に直接印刷してもよく、文字や図柄等が表示されたシートを表示パネル３の表面に貼ってもよい。
【００１３】
前記反射体４は図１（ａ）に示す様に夫々の光源２の外側に配置され、ケース１の内側面に沿って形成されている。この反射体４は図１（ａ）、（ｂ）に示す様にケース１の底面３４側の底面反射部４ａから前記表示パネル３に向けて直線状に外広がりに形成された傾斜反射部５ａと、傾斜反射部５ａと光源２を挟んで内側（ケースの中央側）に設けられ、傾斜反射部５ａとは逆傾斜で外広がりとなる傾斜反射部５ｂとを備えており、光源２よりも外側（ケース１側）に設けられた傾斜反射部５ａのケース１側端部には表示パネル３に向けて垂直に立ち上がる垂直反射部６が突設されている。また、他方の傾斜反射部５ｂは同図に示す様に、前記傾斜反射部５ａよりも緩やかな傾斜としてあり、その表示パネル３側端部には同表示パネル３に垂直反射部８が突設されている。更に、垂直反射部８と表示パネル３との間には隙間４８が形成され、夫々の光源２から光が当該垂直反射部８によって遮られることがないようにしてある。
【００１４】
前記底面反射部４ａ、傾斜反射部５ａ、５ｂ、垂直反射部６、８の表面及びケース１の底面３４には反射シート３６が張設され、光源２から出た光を前記表示パネル３に向けて反射させるようにしてある。この反射シート３６は前記傾斜反射部５ａ、５ｂの表面、垂直反射部６、８の表面の全てを覆うことが可能な大きさの一枚ものとすることもでき、傾斜反射部５ａ、５ｂの表面、垂直反射部６、８の表面、底面反射部４ａのそれぞれに別々の反射シート３６を張設することもできる。前記傾斜反射部５ａ、５ｂは光源２からの光を最も効率良く表示パネル３に反射可能な傾斜角度としてあることは勿論である。
【００１５】
前記光源２は本件発明の光反射材付発光管であり、具体的には図２（ｃ）に示す様に、発光管（蛍光灯）２０の外周面に帯状の光反射材１４をその周方向に間隔１２を開けて配置したものである。さらに具体的は図２（ａ）に示す様に表面に帯状の光反射材１４が一定間隔で複数配置された透明なフィルム２１を、同図（ｂ）に示す様に、光反射材１４が外側になる向きで発光管２０の外周面に巻きつけることによって、同図（ｃ）に示す様に発光管２０の外周面に帯状の光反射材１４が一定間隔で配置されるようにしてある。前記光反射材１４には従来から存在する光反射材や専用に開発された光反射材を使用することができる。図２（ｄ）に示す様に発光管２０の外周面に設けられた複数の光反射材１４のうち表示パネル３と正対する発光管２０上下の光反射材１４を他のそれよりも横幅を広くして表示パネル３により効率的に光が反射されるようにすることもできる。光反射材１４は表示パネル３が１枚である本発明の照明型片面看板の場合は、表示パネル３と正対する発光管２０上側の光反射材１４のみ横幅を広くする。
【００１６】
前記光源２は図３に示す様に、その両端を、ケース１の長手方向両側に設けられている傾斜反射部５ａに形成された通孔３９から同傾斜反射部５ａの外側まで夫々貫通させ、ケース１の底面３４に立設された支持板４２に取付けられているソケット４５にセットして、図示されていない電源コードを介して電源が供給されるようにしてある。また、光源２が蛍光灯の場合には各種安定器によってちらつきを解消することが望ましく、特にインバータ安定器を用いるのが望ましい。
【００１７】
（他の実施形態）
光源は蛍光灯に限らず、ネオン管や通常の蛍光管よりも光量を多くした看板管等を使用することもできる。このうちネオン管は同サイズの蛍光管よりも光量は少なく暗いが、暗い分だけ表示パネルに近づけても、表示パネルのうちネオン管の近傍のみが極端に明るくなることがなく、表示パネルの明るさにムラが生じないため、ネオン管を表示パネルに近づけて同表示パネルを明るく照明することが可能である。
【００１８】
また、光源の数は上記の数に限られるものではなく、照明型看板の大きさや形状等に合わせて、これより多くすることも少なくすることもできる。さらに、その配置方法も横に複数本並べて配置することもでき、縦に複数本並べて配置することもでき、さらにはこれらを組み合わせた配置も可能である。
【００１９】
前記実施形態では表示パネル３をケース１の周縁に形成された嵌合凹部３０に嵌合することによって、ケース１に取付けたが、図４に示す様にケース１の周縁に受縁５１を形成し、同受縁５１の上に表示パネル３の外周縁部３３をのせ、表示パネル３の外周縁部３３の上から抑え枠５４を被せ、この抑え枠５４を図示されていない螺子等によってケース１に固定することによって、当該抑え枠５４と前記受縁５１との間に表示パネル３の外周縁部３３を挟着固定することもできる。
【図面の簡単な説明】
【００２０】
【図１】（ａ）は本発明の照明型片面看板の構造を示す説明図、（ｂ）は（ａ）の縦断面説明図。
【図２】（ａ）は本発明の照明型片面看板に使用される光源の光反射材付フィルムの一例を示す説明図、（ｂ）は本発明の照明型片面看板に使用される光源の一例を示す端面図、（ｃ）は（ｂ）の光源の斜視図、（ｄ）は本発明の照明型片面看板の表示パネルと光源の配置関係を示す説明図。
【図３】光源の取付け状態の一例を示す説明図。
【図４】本発明の照明型看板の光源支持部付近の説明図。
【図５】従来の照明型看板の一例を示す説明図。
【図６】図５に示す照明型看板における表示パネルの照明状態を示す説明図。
【符号の説明】
【００２１】
１  ケース
２  光源
３  表示パネル
４  反射体
４ａ  反射体の底面反射部
５ａ、５ｂ  傾斜反射部
６  垂直反射部
８  垂直反射部
１４  光反射材
２０  発光管
２１  フィルム
【図１】
0004320233.tif 000002
【図２】
0004320233.tif 000003
【図３】
0004320233.tif 000004
【図４】
0004320233.tif 000005
【図５】
0004320233.tif 000006
【図６】
0004320233.tif 000007